(57)【要約】【課題】パーソナルコンピュータのハードディスクに画像を取り組む前に、削除する必要があると思われる画像を検知し、この検出された画像を削除することができる画像取り込みシステムを提供することを目的とする。【解決手段】検出した撮影日時に基づいて、画像を撮影した間隔を算出し、この算出した撮影間隔に基づいて、連続して撮影した画像であるかどうかを判断し、この判断に基づいて、画像を表示する。この表示されている画像について、合成処理する場合の設定を行い、この設定に基づいて、上記連続撮影した画像を合成し、この合成した画像を、記憶領域に保存する画像取り込みシステムである。【選択図】図１
2008263276.tif 000002
【特許請求の範囲】
【請求項１】
複数の画像を取り込み、保存する画像取り込みシステムにおいて、
上記画像を撮影した日時を検出する画像撮影日時検出手段と；
上記画像撮影日時検出手段が検出した撮影日時に基づいて、画像を撮影した間隔を算出する画像撮影間隔算出手段と；
上記画像撮影間隔算出手段が算出した撮影間隔に基づいて、連続して撮影した画像であるかどうかを判断する連続撮影画像判断手段と；
上記連続撮影画像判断手段が判断した連続撮影画像の有無に基づいて、画像を表示する画像表示手段と；
上記画像表示手段に表示されている画像について、合成処理する場合の設定を行う画像合成処理設定手段と；
上記画像合成処理設定手段が行った設定に基づいて、上記連続撮影した画像を合成する画像合成手段と；
上記画像合成手段が合成した画像を、記憶領域に保存する画像記憶手段と；
を有することを特徴とする画像取り込みシステム。
【請求項２】
複数の画像を取り込み、保存する画像取り込みシステムにおいて、
上記画像を撮影した日時を検出する画像撮影日時検出手段と；
上記画像撮影日時検出手段が検出した撮影日時に基づいて、画像を撮影した間隔を算出する画像撮影間隔算出手段と；
上記画像撮影間隔算出手段が算出した撮影間隔に基づいて、連続して撮影した画像であるかどうかを判断する連続撮影画像判断手段と；
上記連続撮影画像判断手段が判断した連続撮影画像の有無に基づいて、画像を表示する画像表示手段と；
上記画像表示手段に表示されている画像の中から、取り込む画像を選択する取り込み画像選択手段と；
上記画像選択手段が選択した画像を記憶領域に保存する画像記憶手段と；
を有することを特徴とする画像取り込みシステム。
【請求項３】
請求項１又は請求項２において、
上記画像撮影日時検出手段は、フィルムの磁気記録層に含まれている撮影日時情報を読み取る手段であることを特徴とする画像取り込みシステム。
【請求項４】
請求項１又は請求項２において、
上記画像撮影日時検出手段は、画像ファイルに含まれている撮影日時情報を検出する手段であることを特徴とする画像取り込みシステム。
【請求項５】
請求項１又は請求項２において、
上記画像撮影間隔算出手段は、上記画像撮影日時検出手段が検出した複数の画像の撮影日時を比較することによって、撮影間隔を算出する手段であることを特徴とする画像取り込みシステム。
【請求項６】
請求項１又は請求項２において、
上記連続撮影画像判断手段は、連続して撮影した画像か否かを判断する条件を設定する手段であることを特徴とする画像取り込みシステム。
【請求項７】
請求項１において、
上記画像合成処理設定手段は、上記画像表示手段に表示されている画像の中から、合成する画像を指定する手段であることを特徴とする画像取り込みシステム。
【請求項８】
複数の画像を取り込み、保存する画像取り込み方法において、
上記画像を撮影した日時を検出する画像撮影日時検出工程と；
上記画像撮影日時検出工程で検出された撮影日時に基づいて、画像を撮影した間隔を算出する画像撮影間隔算出工程と；
上記画像撮影間隔算出工程で算出された撮影間隔に基づいて、連続して撮影した画像であるかどうかを判断する連続撮影画像判断工程と；
上記連続撮影画像判断工程で判断された連続撮影画像の有無に基づいて、画像を表示する画像表示工程と；
上記画像表示工程で表示された画像について、合成処理する場合の設定を行う画像合成処理設定工程と；
上記画像合成処理設定工程で行った設定に基づいて、上記連続撮影した画像を合成する画像合成工程と；
上記画像合成工程で合成した画像を、記憶領域に保存する画像記憶工程と；
を有することを特徴とする画像取り込み方法。
【請求項９】
複数の画像を取り込み、保存する画像取り込み方法において、
上記画像を撮影した日時を検出する画像撮影日時検出工程と；
上記画像撮影日時検出工程で検出された撮影日時に基づいて、画像を撮影した間隔を算出する画像撮影間隔算出工程と；
上記画像撮影間隔算出工程で算出された撮影間隔に基づいて、連続して撮影した画像であるかどうかを判断する連続撮影画像判断工程と；
上記連続撮影画像判断工程で判断された連続撮影画像の有無に基づいて、画像を表示する画像表示工程と；
上記画像表示工程で表示されている画像の中から、取り込む画像を選択する取り込み画像選択工程と；
上記画像選択工程で選択された画像を記憶領域に保存する画像記憶工程と；
を有することを特徴とする画像取り込み方法。
【発明の詳細な説明】
【技術分野】
【０００１】
本発明は、画像取り込みシステムに関し、特に、取り込む画像を分類整理する方法に関する。
【背景技術】
【０００２】
近年、カメラで撮影した画像を、パーソナルコンピュータで管理することが一般的である。デジタルカメラで撮影したデジタル画像は、通信インタフェースを介して、パーソナルコンピュータに転送され、ハードディスクに保存される。一方、フィルムカメラで撮影した画像は、スキャナで読み込まれ、デジタル化された後に、パーソナルコンピュータに転送され、ハードディスクに保存される。ユーザは、パーソナルコンピュータのハードディスクに、画像を一旦保存した上で、所望の画像を検索し、分類整理する。
【０００３】
画像の分類整理については、任意の画像をグループ化する方法や、複数の画像を合成して１つにまとめる方法が知られている（たとえば、特許文献１参照）。
【特許文献１】特開平１０−１３４１７１号公報
【発明の開示】
【発明が解決しようとする課題】
【０００４】
上記従来例では、画像がハードディスクに蓄積されるに伴って、パーソナルコンピュータが膨大な画像を管理し、この分類整理に多大な時間と労力を要するという問題がある。
【０００５】
また、上記従来例では、保存されている膨大な画像の中から、特定の画像を検索し、分類整理することが困難であるという問題がある。
【０００６】
本発明は、パーソナルコンピュータのハードディスクに画像を取り組む前に、削除する必要があると思われる画像を検知し、この検出された画像を削除することができる画像取り込みシステムを提供することを目的とする。
【課題を解決するための手段】
【０００７】
本発明は、複数の画像を取り込み、保存する画像取り込みシステムにおいて、画像を撮影した日時を検出する画像撮影日時検出手段と、画像撮影日時検出手段が検出した撮影日時に基づいて、画像を撮影した間隔を算出する画像撮影間隔算出手段とを有する。また、本発明は、画像撮影間隔算出手段が算出した撮影間隔に基づいて、連続して撮影した画像であるかどうかを判断する連続撮影画像判断手段と、連続撮影画像判断手段が判断した連続撮影画像の有無に基づいて、画像を表示する画像表示手段とを有する。さらに、本発明は、画像表示手段に表示されている画像について、合成処理する場合の設定を行う画像合成処理設定手段と、上記画像合成処理設定手段が行った設定に基づいて、上記連続撮影した画像を合成する画像合成手段とを有する。そして、本発明は、画像合成手段が合成した画像を、記憶領域に保存する画像記憶手段を有する画像取り込みシステムの例である。
【発明の効果】
【０００８】
本発明によれば、パーソナルコンピュータのハードディスクに画像を取り組む前に、削除する必要があると思われる画像を検知することができ、また、この検出された画像を削除することができるという効果を奏する。
【発明を実施するための最良の形態】
【０００９】
発明を実施するための最良の形態は、次に示す実施例である。
【実施例１】
【００１０】
図１は、本発明の実施例１である画像取り込みシステム１００を示すブロック図である。
【００１１】
画像取り込みシステム１００は、スキャナ１０と、データ処理装置（ＰＣ）３０とを有する。
【００１２】
スキャナ１０とデータ処理装置３０とは、インタフェース４０を介して接続されている。ここでは、シリアルインタフェースであるＵＳＢを、インタフェース４０として使用しているが、ＩＥＥＥ１３９４、Ｅｔｈｅｒｎｅｔ（登録商標）、ＩｒＤＡ、ＩＥＥＥ８０２．１１等を、インタフェース４０として使用するようにしてもよい。また、パラレルインタフェースとして、セントロニクス、ＳＣＳＩ等を使用するようにしてもよい。双方向の通信を実現するものであれば、有線／無線を問わずに、どのようなインタフェースであっても、インタフェース４０として使用するようにしてもよい。
【００１３】
スキャナ１０は、磁気情報読取部１１と、画像情報読取部１２と、読取制御部１３と、インタフェース制御部１４とを有する。
【００１４】
読取制御部１３は、インタフェース制御部１４を介して、データ処理装置３０から受信した制御パラメータに基づいて、磁気情報読取部１１と画像情報読取部１２とを制御し、フィルム２０の情報を読み取る。
【００１５】
磁気情報読取部１１が、フィルム２０の磁気記録層に含まれているコマ番号、撮影日時、撮影サイズ情報等、磁気情報を読み取る。画像情報読取部１２が、フィルム２０の露光部分の画像情報を読み取る。これら読み取った情報は、インタフェース制御部１４を介して、データ処理装置３０に転送される。
【００１６】
データ処理装置３０は、情報通知部３１と、中央制御部３２と、インタフェース制御部３３と、入力操作部３４と、スキャナドライバ３５とを有する。データ処理装置３０として、パーソナルコンピュータ（以下、「ＰＣ」と記す）を使用する。中央制御部３２は、情報通知部３１へのデータ表示や、入力操作部３４からのデータ取得等、ＰＣ３０の各種機能を制御する。
【００１７】
スキャナドライバ３５は、中央制御部３２を介して、スキャナ１０の読み取り動作に関する指示をユーザから受け、スキャナ１０を制御し、画像をスキャンすることや、スキャナ１０の状態を取得し、ユーザに通知する。
【００１８】
図２は、実施例１において、ユーザが画像の取り込みを指示してから、ＰＣ３０が画像を取り込むまでの動作を示すフローチャートである。
【００１９】
ユーザがスキャナドライバ３５に、画像の取り込みを指示すると、Ｓ１で、取り込み設定画面を表示する。この取り込み設定画面において、画像を取り込むときの解像度、画像の保存先、画像を保存するときのフォーマットを設定する。この取り込み設定画面の詳細については後述する。
【００２０】
次に、Ｓ２で、上記取り込み設定画面におけるユーザによる入力設定を、ＲＡＭ（Ｒａｎｄｏｍ  Ａｃｃｅｓｓ  Ｍｅｍｏｒｙ（図示せず））等に保存し、Ｓ３では、Ｓ２で保存されたユーザによる入力設定に基づいて、画像をＰＣ３０に取り込む。これによって処理を終了する。
【００２１】
図３は、Ｓ１で表示する取り込み設定画面５０の例を示す図である。
【００２２】
取り込み設定画面５０には、解像度設定ポップアップメニュー５１と、保存フォルダ設定ポップアップメニュー５２と、フォーマット設定ポップアップメニュー５３と、取り込みボタン５４とが表示されている。解像度設定ポップアップメニュー５１を選択することによって、読み取り解像度として、１００ｄｐｉ、１５０ｄｐｉ、３００ｄｐｉ、６００ｄｐｉ、１２００ｄｐｉを設定することができる。
【００２３】
保存フォルダ設定ポップアップメニュー５２を選択することによって、読み取った原稿の保存先を設定することができる。
【００２４】
フォーマット設定ポップアップメニュー５３を選択することによって、読み取った原稿のデータを保存する場合におけるフォーマットとして、ＪＰＥＧ、ＴＩＦＦ、ＰＮＧを設定することができる。取り込みボタン５４を押下すると、解像度設定ポップアップメニュー５１で設定された値に基づいて読み取るように、スキャナ１０に指示する。読み取った結果を、スキャナ１０から取得すると、フォーマット設定ポップアップメニュー５３で設定された形式によって、保存フォルダ設定ポップアップメニュー５２で設定されたフォルダに保存する。
【００２５】
図４は、実施例１において、画像をＰＣ３０に取り込む（Ｓ３）場合における動作を詳細に示すフローチャートである。
【００２６】
Ｓ１１で、フィルム２０の磁気情報と画像情報との読み取りを、スキャナ１０に指示し、また、読み取ったデータをスキャナ１０から取得する。Ｓ１２では、Ｓ１１で取得した磁気情報から、フィルム２０に含まれる画像総数Ａを取得する。Ｓ１３で、画像番号Ｎを初期化する。処理対象の画像を識別するために、画像番号Ｎを用いる。Ｓ１４で、連続撮影画像総数Ｃを初期化する。なお、連続撮影画像総数Ｃは、連続して撮影した画像の総数である。
【００２７】
Ｓ１５で、画像総数Ａと処理対象である画像番号Ｎとを比較する。画像番号Ｎが画像総数Ａよりも小さければ、Ｓ１６に進み、小さくなければ、Ｓ２２に進む。Ｓ１６、Ｓ１７では、Ｓ１１で取得した磁気情報から、画像番号Ｎの画像の撮影日時と、画像番号Ｎ＋１の画像の撮影日時とを取得する。Ｓ１８では、Ｓ１６、Ｓ１７で取得した撮影日時から、画像番号Ｎの画像と、画像番号Ｎ＋１の画像との撮影間隔を算出する。
【００２８】
Ｓ１９では、Ｓ１８で算出した撮影間隔と特定の時間とを比較することによって、連続撮影画像であるかどうかを判断する。連続撮影画像であるかどうかを判断する場合、撮影間隔が５秒未満であれば、連続撮影画像であると判断する。なお、条件設定する画面を用意し、ユーザが任意の条件を予め設定できるようにしてもよい。連続撮影画像であると判断すると、Ｓ２０に進み、連続撮影画像でないと判断すると、Ｓ２２に進む。
【００２９】
Ｓ２０で、画像番号Ｎの画像を、Ｓ１１で得た画像情報から取得し、連続撮影画像を格納する連続撮影画像バッファに保存する。Ｓ２１で、連続撮影画像総数Ｃをインクリメントする。Ｓ２９で、画像番号Ｎをインクリメントする。Ｓ３０で、画像番号Ｎと画像総数Ａとを比較し、処理していない画像があるかどうかを判断する。画像番号Ｎが画像総数Ａよりも大きければ、Ｓ３２に進み、処理を終了する。画像番号Ｎが画像総数Ａより大きくなければ、Ｓ１５に戻り、次の画像を処理する。
【００３０】
Ｓ２２で、連続撮影画像バッファに保存されている画像が１つ以上あるかないかを判断する。１つ以上あれば、Ｓ２３に進み、１つもなければ、Ｓ３１に進む。Ｓ２３で、画像番号Ｎの画像を、Ｓ１１で得た画像情報から取得し、連続撮影画像バッファに保存する。
【００３１】
Ｓ２４で、連続して撮影した画像があることをユーザに通知し、また、これらの画像に関する特定の処理を受け付ける連続撮影画像取り込み設定画面を表示する。この連続撮影画像取り込み設定画面において、連続撮影画像バッファに保存されている任意の画像の合成を指示することができる。また、任意の画像のみを、ＰＣ３０に取り込むように指示することもできる。このステップで表示する画面に関する詳細を後述する。
【００３２】
Ｓ２６では、Ｓ２５でユーザからの連続撮影画像取り込み設定画面で行った入力に基づいて、連続撮影画像バッファに保存されている画像を、ＰＣ３０に取り込む。Ｓ２７で、連続撮影画像バッファに格納されている画像を削除し、Ｓ２８で、連続撮影画像総数Ｃを初期化すると、Ｓ２９で、次の画像を処理する。
【００３３】
Ｓ２２で、連続撮影画像バッファに保存されている画像が１つもないと判断すると、Ｓ３１で、画像番号Ｎの画像を、Ｓ１１で得た画像情報から取得し、ＰＣ３０に取り込み、Ｓ２９で、次の画像を処理する。
【００３４】
図５は、実施例１において、Ｓ２４で表示する連続撮影画像取り込み設定画面Ｄ１の例を示す図である。
【００３５】
連続撮影画像取り込み設定画面Ｄ１は、連続撮影画像表示部６０と、合成ボタン６１と、登録ボタン６２と、全て登録ボタン６３と、取り込み画像表示部７０と、削除ボタン７１と、ＯＫボタン７２とを表示する。
【００３６】
連続撮影画像表示部６０には、連続して撮影した複数の画像と、各画像が撮影された日時とが表示される。連続撮影画像表示部６０に表示されている画像を、マウスで選択することができる。取り込み画像表示部７０には、ＰＣ３０に取り込まれた画像が表示される。合成ボタン６１、登録ボタン６２、又は全て登録ボタン６３によって、ＰＣ３０に取り込む画像を指定し、取り込み画像表示部７０に表示される。取り込み画像表示部７０に表示される画像を、マウスで選択することができる。
【００３７】
合成ボタン６１が押下されると、連続撮影画像表示部６０で選択された画像を合成する。合成された画像は、ＰＣ３０に取り込む画像として、取り込み画像表示部７０に表示される。登録ボタン６２が押下されると、連続撮影画像表示部６０で選択された画像が、ＰＣ３０に取り込む画像として、取り込み画像表示部７０に表示される。全て登録ボタン６３が押下されると、連続撮影画像表示部６０の全ての画像が、ＰＣ３０に取り組む画像として、取り込み画像表示部７０に表示される。
【００３８】
削除ボタン７１が押下されると、取り込み画像表示部７０において選択された画像を、取り込み画像表示部７０から削除する。ＯＫボタン７２が押下されると、取り込み画像表示部７０に表示されている画像のみを、ＰＣ３０に取り込む。
【００３９】
フィルム２０に、複数の連続撮影画像群が含まれている場合、図５に示す連続撮影画像取り込み設定画面Ｄ１を複数回、表示し、各連続撮影画像群について、指示入力をユーザに促す。
【００４０】
図６は、連続撮影画像取り込み設定画面Ｄ１において、連続撮影画像表示部６０に表示されている画像を全て選択した上で、合成ボタン６１を押下したときの画面を示す図である。
【００４１】
取り込み画像表示部７０には、連続撮影画像表示部６０で選択した画像を合成した画像が表示されている。
【００４２】
図７は、連続撮影画像取り込み設定画面Ｄ１において、連続撮影画像表示部６０に表示されている任意の画像を選択した上で、合成ボタン６１を押下したときの画面を示す図である。
【００４３】
取り込み画像表示部７０には、連続撮影画像表示部６０で選択した画像を合成した画像が表示されている。
【００４４】
図８は、連続撮影画像取り込み設定画面Ｄ１において、連続撮影画像表示部６０に表示されている任意の画像を選択した上で、登録ボタン６２を押下したときの画面を示す図である。
【００４５】
取り込み画像表示部７０には、連続撮影画像表示部６０で選択した画像が、そのまま表示されている。
【００４６】
図９は、連続撮影画像取り込み設定画面Ｄ１において、全て登録ボタン６３を押下したときの画面を示す図である。
【００４７】
取り込み画像表示部７０には、連続撮影画像表示部６０の全ての画像がそのまま表示される。
【００４８】
上記実施例では、ＰＣ３０に取り込む画像は、フィルム２０に記憶されている画像であるが、これに限ることはない。データが生成された日時を含む情報と共に記憶されている画像であれば、メモリカードやＣＤ−ＲＯＭ等の外部記憶装置に含まれている画像を、ＰＣ３０に取り込むようにしてもよい。
【００４９】
上記実施例において、「画像取り込みシステム」は、単体の装置ではなく、ＰＣ３０とスキャナ１０とが特定の双方向インタフェースで接続されている装置であるが、これに限ることはない。このようなＰＣ３０の機能とスキャナ１０の機能とが一体になった装置一体型の画像取り込みシステムが、「画像取り込みシステム」であると考えてもよい。
【００５０】
上記実施例によれば、パーソナルコンピュータのハードディスクに画像を取り組む前に、削除する必要があると思われる画像を検知することができ、また、この検出された画像を削除することができる。
【００５１】
上記実施例によれば、連続して撮影した画像の中から、合成する画像を指定することができ、さらに、連続して撮影した画像の中から、取り込む画像を選択することができる。
【００５２】
つまり、上記実施例は、複数の画像を取り込み、保存する画像取り込みシステムにおいて、上記画像を撮影した日時を検出する画像撮影日時検出手段を有する。また、上記実施例は、上記画像撮影日時検出手段が検出した撮影日時に基づいて、画像を撮影した間隔を算出する画像撮影間隔算出手段を有する。さらに、上記実施例は、上記画像撮影間隔算出手段が算出した撮影間隔に基づいて、連続して撮影した画像であるかどうかを判断する連続撮影画像判断手段を有する。そして、上記実施例は、上記連続撮影画像判断手段が判断した連続撮影画像の有無に基づいて、画像を表示する画像表示手段と、上記画像表示手段に表示されている画像について、合成処理する場合の設定を行う画像合成処理設定手段とを有する。しかも、上記実施例は、上記画像合成処理設定手段が行った設定に基づいて、上記連続撮影した画像を合成する画像合成手段と、上記画像合成手段が合成した画像を、記憶領域に保存する画像記憶手段とを有する画像取り込みシステムの例である。
【００５３】
また、上記実施例は、複数の画像を取り込み、保存する画像取り込みシステムにおいて、上記画像を撮影した日時を検出する画像撮影日時検出手段を有する。そして、上記実施例は、上記画像撮影日時検出手段が検出した撮影日時に基づいて、画像を撮影した間隔を算出する画像撮影間隔算出手段を有する。さらに、上記実施例は、上記画像撮影間隔算出手段が算出した撮影間隔に基づいて、連続して撮影した画像であるかどうかを判断する連続撮影画像判断手段を有する。しかも、上記実施例は、上記連続撮影画像判断手段が判断した連続撮影画像の有無に基づいて、画像を表示する画像表示手段と、上記画像表示手段に表示されている画像の中から、取り込む画像を選択する取り込み画像選択手段とを有する。また、上記実施例は、上記画像選択手段が選択した画像を記憶領域に保存する画像記憶手段を有する画像取り込みシステムの例である。
【００５４】
この場合、上記画像撮影日時検出手段は、フィルムの磁気記録層に含まれている撮影日時情報を読み取る手段である。また、上記画像撮影日時検出手段は、画像ファイルに含まれている撮影日時情報を検出する手段である。そして、上記画像撮影間隔算出手段は、上記画像撮影日時検出手段が検出した複数の画像の撮影日時を比較することによって、撮影間隔を算出する手段である。しかも、上記連続撮影画像判断手段は、連続して撮影した画像か否かを判断する条件を設定する手段である。また、上記画像合成処理設定手段は、上記画像表示手段に表示されている画像の中から、合成する画像を指定する手段である。
【００５５】
また、上記実施例を方法の発明として把握することができる。つまり、上記実施例は、複数の画像を取り込み、保存する画像取り込み方法において、上記画像を撮影した日時を検出する画像撮影日時検出工程を有する。また、上記実施例は、上記画像撮影日時検出工程で検出された撮影日時に基づいて、画像を撮影した間隔を算出する画像撮影間隔算出工程を有する。さらに、上記実施例は、上記画像撮影間隔算出工程で算出された撮影間隔に基づいて、連続して撮影した画像であるかどうかを判断する連続撮影画像判断工程を有する。しかも、上記実施例は、上記連続撮影画像判断工程で判断された連続撮影画像の有無に基づいて、画像を表示する画像表示工程と、上記画像表示工程で表示された画像について、合成処理する場合の設定を行う画像合成処理設定工程とを有する。そして、上記実施例は、上記画像合成処理設定工程で行った設定に基づいて、上記連続撮影した画像を合成する画像合成工程と、上記画像合成工程で合成した画像を、記憶領域に保存する画像記憶工程とを有する画像取り込み方法の例である。
【００５６】
また、上記実施例は、複数の画像を取り込み、保存する画像取り込み方法において、上記画像を撮影した日時を検出する画像撮影日時検出工程を有する。また、上記実施例は、上記画像撮影日時検出工程で検出された撮影日時に基づいて、画像を撮影した間隔を算出する画像撮影間隔算出工程を有する。さらに、上記実施例は、上記画像撮影間隔算出工程で算出された撮影間隔に基づいて、連続して撮影した画像であるかどうかを判断する連続撮影画像判断工程を有する。しかも、上記実施例は、上記連続撮影画像判断工程で判断された連続撮影画像の有無に基づいて、画像を表示する画像表示工程と、上記画像表示工程で表示されている画像の中から、取り込む画像を選択する取り込み画像選択工程とを有する。そして、上記実施例は、上記画像選択工程で選択された画像を記憶領域に保存する画像記憶工程を有する画像取り込み方法の例である。
【図面の簡単な説明】
【００５７】
【図１】本発明の実施例１である画像取り込みシステム１００を示すブロック図である。
【図２】実施例１において、ユーザが画像の取り込みを指示してから、ＰＣ３０が画像を取り込むまでの動作を示すフローチャートである。
【図３】Ｓ１で表示する取り込み設定画面の例を示す図である。
【図４】画像をＰＣ３０に取り込む（Ｓ３）場合における動作を詳細に示すフローチャートである。
【図５】実施例１において、連続撮影画像取り込み設定画面（Ｓ２４）の例を示す図である。
【図６】連続撮影画像取り込み設定画面Ｄ１において、連続撮影画像表示部６０に表示されている画像を全て選択した上で、合成ボタン６１を押下したときの画面を示す図である。
【図７】連続撮影画像取り込み設定画面Ｄ１において、連続撮影画像表示部６０に表示されている任意の画像を選択した上で、合成ボタン６１を押下したときの画面を示す図である。
【図８】連続撮影画像取り込み設定画面Ｄ１において、連続撮影画像表示部６０に表示されている任意の画像を選択した上で、登録ボタン６２を押下したときの画面を示す図である。
【図９】連続撮影画像取り込み設定画面Ｄ１において、全て登録ボタン６３を押下したときの画面を示す図である。
【符号の説明】
【００５８】
１０…スキャナ、
１１…磁気情報読取部、
１２…画像情報読取部、
１３…読取制御部
１４…Ｉ／Ｆ制御部、
２０…フィルム、
３０…データ処理装置（ＰＣ）、
３１…情報通知部、
３２…中央制御部、
３３…Ｉ／Ｆ制御部、
３４…入力操作部、
３５…スキャナドライバ、
５０…取り込み設定画面、
５１…解像度設定ポップアップメニュー、
５２…保存フォルダ設定ポップアップメニュー、
５３…フォーマット設定ポップアップメニュー、
５４…取り込みボタン、
Ｄ１…連続撮影画像取り込み設定画面、
６０…連続撮影画像表示部、
６１…合成ボタン、
６２…選択ボタン、
６３…全て登録ボタン、
７０…取り込み画像表示部、
７１…削除ボタン、
７２…ＯＫボタン。
【図１】
2008263276.tif 000003
【図２】
2008263276.tif 000004
【図３】
2008263276.tif 000005
【図４】
2008263276.tif 000006
【図５】
2008263276.tif 000007
【図６】
2008263276.tif 000008
【図７】
2008263276.tif 000009
【図８】
2008263276.tif 000010
【図９】
2008263276.tif 000011